(57)【要約】【課題】赤外線が放射される時間が調整可能なＩＲデコイを提供する。【解決手段】１以上の噴出口１２を有する円形状の噴出面１１ａを備えた赤外線装置１１と、噴出口１２と位置、大きさ及び形状が一致する貫通穴１４を有し、かつ、噴出面１１ａに沿って噴出面１１ａの中心を回転軸１１ｂとして回転可能に取り付けられた蓋１３と、蓋１３の回転を行う回転駆動装置とを有する。【選択図】図２
2013148271.tif 000002
【特許請求の範囲】
【請求項１】
赤外線妨害によって飛翔体の欺瞞を行うＩＲデコイにおいて、
１以上の噴出口を有する円形状の噴出面を備えた赤外線装置と、
前記噴出口と位置、大きさ及び形状が一致する貫通穴を有し、かつ、前記噴出面に沿って該噴出面の中心を回転軸として回転可能に取り付けられた蓋と、
前記蓋の回転を行う回転駆動装置と、を有する、ことを特徴とするＩＲデコイ。
【請求項２】
前記回転駆動装置は、複数の前記赤外線装置及び前記蓋を連結する連結管を有し、
前記連結管によって、複数の前記赤外線装置にそれぞれ取り付けられ複数の前記蓋を同時又は個別に回転させるようになっている、ことを特徴とする請求項１に記載のＩＲデコイ。
【請求項３】
赤外線妨害によって飛翔体の欺瞞を行うＩＲデコイの赤外線放射量調整方法において、
１以上の噴出口を有する円形状の噴出面を備えた赤外線装置と、
前記噴出口と位置、大きさ及び形状が一致する貫通穴を有し、かつ、前記噴出面に沿って該噴出面の中心を回転軸として回転可能に取り付けられた蓋と、
前記蓋の回転を行う回転駆動装置と、を準備し、
前記回転駆動装置によって、前記蓋を回転させることで前記噴出口と前記貫通穴が重ね合う面積を調整し、前記赤外線の放射量を調整する、ことを特徴とするＩＲデコイの赤外線放射量調整方法。
【請求項４】
前記回転駆動装置は、複数の前記赤外線装置にそれぞれ取り付けられた複数の前記蓋を同時又は個別に回転させる、ことを特徴とする請求項３に記載のＩＲデコイの赤外線放射量調整方法。
【発明の詳細な説明】
【技術分野】
【０００１】
本発明は、赤外線を放射することで、敵等からの攻撃を欺瞞するＩＲデコイ及びこれによる赤外線放射量調整方法に関する。
【背景技術】
【０００２】
船艇に向けた敵等からの誘導飛翔体による攻撃を受けた場合、かかる誘導飛翔体に対して電波妨害や赤外線妨害を行うことで、これを回避する方法が用いられている。
【０００３】
電波妨害については、例えば、特許文献１に記載されているコーナーリフレクタが知られている。
特許文献１のコーナーリフレクタは、電波反射膜を有することによって、電波を入射してきた方向に反射することができる。また、特許文献１のコーナーリフレクタは、バルーンを有しており、これがボンベ等によって膨張することによって、電波反射膜が展開するようになっている。
そのため、例えば、空中で展開したコーナーリフレクタに、追尾用レーダ装置やミサイルのレーダシーカから電波が入射すると、コーナーリフレクタは、電波を入射してきた方向に反射することができるため、コーナーリフレクタをレーダのおとりにすることができる。
【０００４】
一方、赤外線妨害については、例えば、特許文献２に記載されているＩＲデコイが知られている。
特許文献２のＩＲデコイは、水上艦に搭載された発射筒から電波妨害弾及びＩＲデコイ弾を発射し、これが落下している間において、敵等から発射された誘導飛翔体を欺瞞するものである。
そのため、電波妨害弾とＩＲデコイ弾が同一高度まで達した後、分離機構が作動してＩＲデコイ弾を分離することで、誘導飛翔体の追尾セルの範囲内に電波妨害弾とＩＲデコイ弾が同時に位置することが可能となる。
また、誘導飛翔体が複合誘導方法で飛来した場合であっても、有効な妨害効果を持続することができる。
【先行技術文献】
【特許文献】
【０００５】
【特許文献１】特開平０４−３５５３８８号公報
【特許文献２】特開２０００−１２１２９８号公報
【発明の概要】
【発明が解決しようとする課題】
【０００６】
ここで、上記特許文献に記載されているようなコーナーリフレクタ又はＩＲデコイにおいて、敵を欺瞞できるのは、バルーンを展開させてから水面に落下するまでの間又は内部に搭載された発煙剤が消費されるまでの間であるため、適切なタイミングでそれぞれの機能を発揮させる必要がある。
この点において、上述したコーナーリフレクタの場合は、バルーンにパラシュートを搭載させる方法やバルーンの重量を軽量化する方法をとることによって、放出後海面に落下するまでの時間を延ばすことも可能であるが、上述したようなＩＲデコイについては、船艇から放射させる際に発煙剤を点火させるため、敵を欺瞞させるタイミングについて調整を行うことが難しいという問題点があった。
【０００７】
そこで、本発明の目的は、赤外線が放射される時間が調整可能なＩＲデコイを提供することにある。
【課題を解決するための手段】
【０００８】
上記目的を達成するため、本発明によると、赤外線妨害によって飛翔体の欺瞞を行うＩＲデコイにおいて、
１以上の噴出口を有する円形状の噴出面を備えた赤外線装置と、
前記噴出口と位置、大きさ及び形状が一致する貫通穴を有し、かつ、前記噴出面に沿って該噴出面の中心を回転軸として回転可能に取り付けられた蓋と、
前記蓋の回転を行う回転駆動装置とを有する、ことを特徴とするＩＲデコイが提供される。
【０００９】
また、本発明によると、前記回転駆動装置は、複数の前記赤外線装置及び前記蓋を連結する連結管を有し、
前記連結管によって、複数の前記赤外線装置にそれぞれ取り付けられ複数の前記蓋を同時又は個別に回転させるようになっている。
【００１０】
また、本発明によると、赤外線妨害によって飛翔体の欺瞞を行うＩＲデコイの赤外線放射量調整方法において、
１以上の噴出口を有する円形状の噴出面を備えた赤外線装置と、
前記噴出口と位置、大きさ及び形状が一致する貫通穴を有し、かつ、前記噴出面に沿って該噴出面の中心を回転軸として回転可能に取り付けられた蓋と、
前記蓋の回転を行う回転駆動装置とを準備し、
前記回転駆動装置によって、前記蓋を回転させることで前記噴出口と前記貫通穴が重ね合う面積を調整し、前記赤外線の放射量を調整する、ことを特徴とするＩＲデコイの赤外線放射量調整方法が提供される。
【００１１】
また、本発明によると、前記回転駆動装置は、複数の前記赤外線装置にそれぞれ取り付けられた複数の前記蓋を同時又は個別に回転させる。
【発明の効果】
【００１２】
本発明によると、赤外線装置の噴出口を有する面に回転可能に取り付けられ、かつ、１以上の貫通穴を有する蓋を有することによって、赤外線の放射量を調整することができるため、これによって、赤外線が放射されている時間を調整することが可能になる。
【図面の簡単な説明】
【００１３】
【図１】本発明におけるＩＲデコイを放射している際の模式図である。
【図２】本発明におけるＩＲデコイの模式図である。
【図３】本発明における飛翔体の模式図である。
【図４】本発明におけるＩＲデコイを複数用いた場合における欺瞞時間についての説明図である。
【発明を実施するための形態】
【００１４】
本発明の好ましい実施形態を図面に基づいて説明する。なお、各図において共通する部分には同一の符号を付し、重複した説明を省略する。
【００１５】
図１は、本発明におけるＩＲデコイを放射している際の模式図である。
この図において、１は船艇、２は発射台、３は飛翔体、４はＩＲデコイ、５は赤外線である。
【００１６】
船艇１は、この例においては、船上に発射台２が設置されており、ここからＩＲデコイ４が搭載されている飛翔体３を発射することができる。
発射台２は、敵の欺瞞を行いたい位置に従って、発射角度を調整できるようになっていることが望ましい。
【００１７】
飛翔体３は、発射台２から発射された後、一定時間後に分解して内部に搭載していたＩＲデコイ４を空中に放射する。
ＩＲデコイ４は、飛翔体３と導火線（図示しない）によって接続されており、飛翔体３からＩＲデコイ４が放射されるタイミング又はＩＲデコイ４が放射されてから所定時間経過後に点火される構成であってもよい。
【００１８】
ＩＲデコイ４は、飛翔体３から放射されて海上に落下した後、赤外線５の放射を開始する。
【００１９】
図２は、本発明におけるＩＲデコイの模式図である。
図２（Ａ）は、本発明における赤外線装置の模式図、図２（Ｂ）は、本発明における蓋の模式図であり、図２（Ｃ）は、本発明における蓋を接続した際の赤外線装置の模式図である。
この図において、１１は赤外線装置、１１ａは噴出面、１１ｂは回転軸、１２は噴出口、１３は蓋、１４は貫通穴である。
【００２０】
赤外線装置１１は、内部に発煙剤（図示しない）を充填しており、発煙剤の点火に伴って、赤外線の放射を開始する。発煙剤が点火された後、噴出口１２から赤外線が放射される構成になっている。
この例において、噴出口１２は２つであるが、１つ以上であれば数に制限はない。
【００２１】
蓋１３は、１つ以上の貫通穴１４を有しており、赤外線装置１１における噴出口１２を有している噴出面１１ａに密着する形で構成されている。
蓋１３は、赤外線装置１１に対して回転軸１１ｂを中心として回転可能になっており、赤外線装置１１における噴出口１２と蓋１３における貫通穴１４が重なり合った部分のみ、赤外線装置１１の内部から赤外線を放射することが可能になる。そのため、この重なり合った部分を調整することにより、赤外線の放射量を調整して放射時間を長く或いは短くすることが可能になる。
【００２２】
図３は、本発明におけるＩＲデコイの模式図である。
この図において、２１は回転駆動装置、２２はイグナイタ、２３は連結管、２４は外筒、２５はロケットモータである。
【００２３】
回転駆動装置２１は、飛翔体３に搭載されている複数のＩＲデコイ４における蓋１３の位置を調整させるためのものである。
回転駆動装置２１は、各ＩＲデコイ４の蓋１３に固定されている連結管２３を経由して各ＩＲデコイ４に接続されている。
この構成によって、各ＩＲデコイ４の蓋１３の位置を調整し、赤外線の放射量を調整することが可能になる。なお、回転駆動装置２１は、個々にＩＲデコイ４の調整を行うことができる構成であってもよい。
また、各ＩＲデコイ４には、内部の発煙剤に対して点火を行うためのイグナイタ２２が接続されている。この各ＩＲデコイ４に接続された複数のイグナイタ２２は、それぞれ所定の時間に点火を行う構成であってもよいし、例えば、複数のイグナイタ２２を導爆線（図示しない）によって連結しておくことで、同時に点火させることができる構成であってもよい。
【００２４】
回転駆動装置２１は、発射台２によって発射される前に手動又はリモートによって蓋１３の調整を行う構成でもよいし、飛翔体３の発射後かつＩＲデコイ４の展開前にリモートで調整を行う構成であってもよい。
【００２５】
ここで、赤外線によって敵を欺瞞することができるのは、図４における斜線部分のように、放射された赤外線についての赤外線特性が、敵等を欺瞞するのに必要な所定の基準値を上回っているときになる。
そのため、複数のＩＲデコイ４について使用する場合には、それぞれのＩＲデコイ４から放射された赤外線についての赤外線特性が、所定の基準値を上回っている時間（以下、欺瞞時間）を意図的に変化させることによって、欺瞞時間を途切れないように調整を行うことができる。
【００２６】
図４においては、ＩＲデコイ４ａの欺瞞時間が終わるタイミングで、ＩＲデコイ４ｂの欺瞞時間が始まるように調整することで、複数のＩＲデコイ４について欺瞞時間を全て同じ時間にする場合に比べて、欺瞞時間を長く調整することができる。
【００２７】
外筒２４は、飛翔体３の発射後、一定時間後又は一定の高さに到達後に分解される構成でもよいし、リモートで分解を行う指示を与える構成であってもよい。
【００２８】
この例において、飛翔体３はロケットモータ２５を有しているが、自ら推進する力を有しておらず、発射台２から発射された後は放物運動のみを行う構成であってもよい。
【００２９】
また、この例において、飛翔体３には、海上にて赤外線を放射するＩＲデコイについてのみ搭載させているが、空中で赤外線を放射するＩＲデコイや電波妨害を行うためのコーナーリフレクタを搭載させておき、同時に使用する構成にすることも可能である。
【００３０】
本発明は上述した実施の形態に限定されず、本発明の要旨を逸脱しない範囲で種々変更を加え得ることは勿論である。
【符号の説明】
【００３１】
１  船艇、２  発射台、３  飛翔体、４  ＩＲデコイ、５  赤外線、
１１  赤外線装置、１２  噴出口、１３  蓋、１４  貫通穴、
２１  回転駆動装置、２２  イグナイタ、２３  連結管、２４  外筒、
２５  ロケットモータ
【図１】
2013148271.tif 000003
【図２】
2013148271.tif 000004
【図３】
2013148271.tif 000005
【図４】
2013148271.tif 000006